(57)【要約】【課題】水面に向けて落下した後も問題なく作動可能なオーディオ装置の提供を目的とする。【解決手段】オーディオ装置１は、本体部２と脚部３とを有し、本体部２の内部に電池ボックス６や制御装置１２ａ，１２ｂ等を内蔵している。本体部２を縦断する境界面Ｘに対して一方側の領域Ｂに電池ボックス６等が偏在しており、他方側の領域Ａには、本体部２の内外を連通する通気路５５が設けられている。オーディオ装置１は、水面に向けて落下した際に通気路５５の開口が水面よりも上方に位置した状態で浮かぶ。【選択図】図７
2008211753.tif 000002
【特許請求の範囲】
【請求項１】
スピーカーを備えた中空の本体部と、
当該本体部の内外を連通する通気路と、
空気の通過を許容し、水の通過を阻止可能な膜体とを有し、
当該膜体を前記通気路の中途を横断、あるいは、前記通気路の本体部内側の端部を閉塞するように配したものであり、
前記本体部を所定の姿勢で水面に浮揚させることが可能であり、
水面に浮揚させた状態において、少なくとも前記通気路の本体部外側の端部が水面よりも上方に露出すると共に、通気路が水面に対して水平、あるいは、本体部の内側から外側に向けて斜め下向きになることを特徴とするオーディオ装置。
【請求項２】
本体部を通る境界面と、当該境界面を境として通気路が設けられた側の領域Ａと、当該領域Ａに対して境界面を境として逆側の領域Ｂとを想定した場合に、本体部の重心が領域Ｂ側に存在することを特徴とする請求項１に記載のオーディオ装置。
【請求項３】
本体部を通る境界面と、当該境界面を境として通気路が設けられた側の領域Ａと、当該領域Ａに対して境界面を境として逆側の領域Ｂとを想定した場合に、
本体部の内部に収容されている機器類が、前記領域Ｂ側に偏在していることを特徴とする請求項１又は２に記載のオーディオ装置。
【請求項４】
本体部の内部に電池を収容可能な電池収容部を有し、
本体部を通る境界面と、当該境界面を境として通気路が設けられた側の領域Ａと、当該領域Ａに対して境界面を境として逆側の領域Ｂとを想定した場合に、
前記電池収容部が、前記領域Ｂ側に偏在していることを特徴とする請求項１〜３のいずれかに記載のオーディオ装置。
【請求項５】
本体部が、使用状態において下方を向く底部を有するものであり、
通気路が、前記底部に開口していることを特徴とする請求項１〜４のいずれかに記載のオーディオ装置。
【請求項６】
本体部が、使用状態において下方に向く底部を有するものであり、当該底部側にスピーカーが設けられ、当該スピーカーの振動板が本体部に対して下方側に向けて音を放射可能なものであり、
前記底部であってスピーカーの周縁部に相当する位置に通気路が開口していることを特徴とする請求項１〜５のいずれかに記載のオーディオ装置。
【請求項７】
本体部が、使用状態において下方に向く底部を有するものであり、当該底部側にスピーカーが設けられており、
当該スピーカーの振動板が本体部の下方側に向けて音を放射可能なものであり、
本体部を支持する脚部を有し、当該脚部を所定の設置面上に設置した状態において、本体部の底が前記設置面から離れた位置に存在することを特徴とする請求項１〜６のいずれかに記載のオーディオ装置。
【発明の詳細な説明】
【技術分野】
【０００１】
本発明はオーディオ装置に関するものであり、特に浴室等において好適に使用可能なものに関する。
【背景技術】
【０００２】
従来より、下記特許文献１に開示されている風呂用リモコンのように、浴室内で使用される装置類がある。特許文献１に開示されている風呂用リモコンでは、装置本体の内外における温度差や圧力差に起因して誤作動が起こるのを防止すべく、リモコン本体に通気孔を設けると共に、この通気孔に空気は通過するが水は通過しない膜等からなる防湿部材を張設した構成が採用されている。
【０００３】
一方、近年、大規模なリフォーム工事等を施すことなく、浴室等において音楽等を楽しむことが可能なオーディオ装置の提供が望まれている。
【特許文献１】特許第２７５３９７４号公報
【発明の開示】
【発明が解決しようとする課題】
【０００４】
上記したような要望に応えるべく、本発明者らは、スピーカーを有し、音声再生機能を備えた携帯型のオーディオ装置を試作し、実験を繰り返した。浴室内のように高温多湿になる環境下において使用されることを考慮し、スピーカー等を内蔵した装置本体を密閉状態としたものを試作して実験を行ったところ、装置内外の温度差や圧力差に起因してスピーカーがうまく作動しなかったり、スピーカーが故障する可能性があることが判明した。そこで、本発明者らは、スピーカーを備えたオーディオ装置に装置の内外を連通する通気路を設けると共に、オーディオ装置本体の内側に向けて開口した前記通気路の開口部分に、通気路の空気は通過するが水は通過しない膜を取り付けた構成として実験を繰り返した。その結果、本発明者らが試作したオーディオ装置は、通常の使用形態において装置内外の温度差や圧力差が解消され、スピーカーがうまく作動するようになった。
【０００５】
しかし、上記したような構成のオーディオ装置は、ユーザーが任意の位置に設置して使用することを目的としたものであるがために誤って浴槽に張られた湯水等に落とされてしまう可能性がある。すなわち、上記特許文献１に記載の風呂用リモコン等の装置類は、浴室の壁面に据え付ける等して使用されるものであるため、浴槽に張られた湯水に落下するといったような事態は想定しがたい。しかし、本発明者らが試作したオーディオ装置はユーザーが適宜持ち運ぶ等して任意の位置に設置可能なものであるため、据え付け型の機器類に比べて設置状態が不安定であるものと想定される。また、本発明者らが試作したオーディオ装置は、例えば入浴中に浴室内で使用するといったような使用状況を想定したものである。そのため、本発明者らが試作したオーディオ機器は、浴槽等に溜め置かれた湯水に向けて誤って落下したとしても、特に支障なく作動可能なものである必要がある。
【０００６】
そこで、本発明者らは、試作したオーディオ装置が誤って浴槽に張られた湯水等に向けて落下した場合であっても、その後支障なく作動可能なものであるか否かについてさらに検討を重ねた。その結果、本発明者らが試作したオーディオ装置は、浴槽に張られた湯水等に向けて落下すると通気路内に水が入ったり、通気路内に水膜が形成される等してしまって通気路を介して通気できない状態になることがあり、これが原因となってスピーカーがうまく作動しなくなったり、故障する可能性があることが判明した。
【０００７】
そこで、かかる問題点を解消すべく、本発明は、仮に浴室に張られた湯水等に落下させてしまったとしても、問題なく作動可能なオーディオ装置の提供を目的とする。
【課題を解決するための手段】
【０００８】
上記した課題を解決すべく提供される請求項１に記載の発明は、スピーカーを備えた中空の本体部と、当該本体部の内外を連通する通気路と、空気の通過を許容し、水の通過を阻止可能な膜体とを有し、当該膜体を前記通気路の中途を横断、あるいは、前記通気路の本体部内側の端部を閉塞するように配したものであり、前記本体部を所定の姿勢で水面に浮揚させることが可能であり、水面に浮揚させた状態において、少なくとも前記通気路の本体部外側の端部が水面よりも上方に露出すると共に、通気路が水面に対して水平、あるいは、本体部の内側から外側に向けて斜め下向きになることを特徴とするオーディオ装置である。
【０００９】
本発明のオーディオ装置は、例えば浴室内での使用中に湯水が溜められた浴槽内に落下させてしまった場合のように何らかの理由で水面に対して落下した場合であっても、水面に浮揚した状態になり、通気路の本体部外側に位置する端部が水面よりも上方に露出した状態になる。そのため、本発明のオーディオ装置は、水面に向けて落下した場合であっても、通気路内に湯水が浸入する可能性が低い。
【００１０】
また、本発明のオーディオ装置は、水面に浮揚させた状態において、通気路が水面に対して水平、あるいは、本体部の内側から外側に向けて斜め下向きになる。そのため、本発明のオーディオ装置は、水面に向けて落下することにより、仮に湯水が通気路に浸入したとしても、この湯水が通気路内に溜まってしまったり、通気路内に気体の往来を阻害するような水膜を形成することが少ない。
【００１１】
すなわち、水面に浮揚した状態において通気路が水面に対して水平である場合は、通気路内に万が一、湯水が浸入したとしても、通気路のうち浮揚状態において下方側に位置する面が湯水で濡れるだけで、他の面には湯水は付着しない。また特に、水面に浮揚した状態において、通気路が本体部の内側から外側に向けて斜め下向きになるものについては、仮に落下した時点で湯水が通気路内に浸入したとしてもこの湯水は通気路から外部に漏出する。そのため、本発明のオーディオ装置は、仮に水面に向けて落下するようなことがあっても、通気路に湯水が溜まったり、水膜が形成されるのを防止でき、本体部の内外間における空気の流通を阻害するような事態には至りにくい。従って、本発明のオーディオ装置は、通気路内に湯水が残存したり水膜が形成されることによって動作不良や故障を起こす可能性を最小限に抑制することができる。
【００１２】
請求項２に記載の発明は、本体部を通る境界面と、当該境界面を境として通気路が設けられた側の領域Ａと、当該領域Ａに対して境界面を境として逆側の領域Ｂとを想定した場合に、本体部の重心が領域Ｂ側に存在することを特徴とする請求項１に記載のオーディオ装置である。
【００１３】
本発明のオーディオ装置は、本体部を通る境界面を境として通気路が設けられた領域Ａとは逆側の領域Ｂに本体部の重心がある。そのため、本発明のオーディオ装置は、水面に対して落下した際に通気路が設けられた領域Ａ側が領域Ｂ側に対して上方に向くように浮揚することとなる。従って、本発明によれば、水面への落下時に、通気路が設けられた部分が優先的に水面から露出した状態で浮揚し、通気路に湯水等が浸入したり、これにより動作不良や故障を起こす可能性を最小限に抑制可能なオーディオ装置を提供することができる。
【００１４】
請求項３に記載の発明は、本体部を通る境界面と、当該境界面を境として通気路が設けられた側の領域Ａと、当該領域Ａに対して境界面を境として逆側の領域Ｂとを想定した場合に、本体部の内部に収容されている機器類が、前記領域Ｂ側に偏在していることを特徴とする請求項１又は２に記載のオーディオ装置である。
【００１５】
本発明のオーディオ装置は、上記したように本体部を通る境界面を境として領域Ａ側に通気路があり、本体部に収容されている機器類が領域Ｂ側に偏在している。そのため、本発明のオーディオ装置は、その重量バランスが領域Ｂ側に偏っている。よって、本発明のオーディオ装置は、水面に浮揚させると、通気路が設けられた領域Ａ側が領域Ｂ側に対して上方に向いた姿勢となって浮揚する。従って、本発明のオーディオ装置は、何らかの理由で水面に対して落下したとしても、通気路が水中に浸かったり、通気路に水が浸入してくる可能性が低い。
【００１６】
請求項４に記載の発明は、本体部の内部に電池を収容可能な電池収容部を有し、本体部を通る境界面と、当該境界面を境として通気路が設けられた側の領域Ａと、当該領域Ａに対して境界面を境として逆側の領域Ｂとを想定した場合に、前記電池収容部が、前記領域Ｂ側に偏在していることを特徴とする請求項１〜３のいずれかに記載のオーディオ装置である。
【００１７】
本発明のオーディオ装置は、通気路が境界面を境として画定された一方の領域Ａにあり、本体部内に設けられた電池収容部が他方の領域Ｂに存在している。そのため、本発明のオーディオ装置は、電池収容部に電池をセットすると、重量バランスが領域Ｂ側に偏在した状態になる。従って、本発明のオーディオ装置は、領域Ｂ側に対して領域Ａ側が上方に向いた姿勢となって浮揚することができ、何らかの理由で水面に対して落下したとしても、通気路が水中に浸かったり、通気路に水が浸入してくる可能性が低い。
【００１８】
ここで、上記したように、本発明のオーディオ装置は、浴室等のように湯水の使用が想定される環境下に設置して使用される可能性が高い。そのため、本発明のオーディオ装置は、通常の使用状態において上方や側方から湯水がかかる可能性が高い一方、下方から上方に向けて湯水が浴びせられる可能性は低いものと想定される。従って、本発明のオーディオ装置は、上方や側方から湯水がかかっても通気路に湯水が浸入したり、通気路内に水膜が形成されない構成であることが望ましい。
【００１９】
そこで、かかる知見に基づいて提供される請求項５に記載の発明は、本体部が、使用状態において下方を向く底部を有するものであり、通気路が、前記底部に開口していることを特徴とする請求項１〜４のいずれかに記載のオーディオ装置である。
【００２０】
本発明のオーディオ装置では、通気路が本体部の底側に開口している。そのため、本発明のオーディオ装置は、上方や側方から本体部に湯水がかかっても通気路内に湯水が浸入したり、通気路内に水膜が形成される可能性が低い。
【００２１】
ここで、浴室等のようなユーザーが使用したい場所に適宜持ち運んで使用することを目的とした場合、上記各発明にかかるオーディオ装置は構成がコンパクトであることが望ましい。また、オーディオ装置の音質を確保するためには、なるべく振動板の大きなスピーカーを採用することが望ましい。一方、スピーカーを装着すべく当該スピーカーの周縁部を保持したり固定等する場合、保持したり固定する部分はスピーカーの周縁部の一部分で十分であり、その他の部分は保持したり固定する必要がない。従って、スピーカーの周縁部には、スピーカーの保持や固定等に供しない、デッドスペースとなる部分が発生する。従って、当該スペースを有効利用すれば、オーディオ装置をより一層コンパクトにしたり、デッドスペースを抑制した分だけ大きな振動板を持つスピーカーを採用する等でき、限られたスペースを有効利用することができる。
【００２２】
そこで、かかる知見に基づいて提供される請求項６に記載の発明は、本体部が、使用状態において下方に向く底部を有するものであり、当該底部側にスピーカーが設けられ、当該スピーカーの振動板が本体部に対して下方側に向けて音を放射可能なものであり、前記底部であってスピーカーの周縁部に相当する位置に通気路が開口していることを特徴とする請求項１〜５のいずれかに記載のオーディオ装置である。
【００２３】
かかる構成によれば、スピーカーの周縁部に存在するスペースを通気路を設けるために有効利用することができる。
【００２４】
ここで、上記したように、本発明のオーディオ装置は、浴室等のような湯水の使用が想定される環境下に設置して使用される可能性が高く、通常の使用形態では、上方や側方から湯水がかかる可能性が高い一方、下方から上方に向けて湯水が浴びせられる可能性は低いものと想定される。また、従来公知のスピーカーの多くは、湯水によって濡れると性能が低下したり故障する可能性がある。従って、本発明のオーディオ装置は、上方や側方から湯水がかかっても湯水で濡れる可能性の低い位置にスピーカーが設置された構成であることが望ましい。
【００２５】
そこで、かかる知見に基づいて提供される請求項７に記載の発明は、本体部が、使用状態において下方に向く底部を有するものであり、当該底部側にスピーカーが設けられており、当該スピーカーの振動板が本体部の下方側に向けて音を放射可能なものであり、本体部を支持する脚部を有し、当該脚部を所定の設置面上に設置した状態において、本体部の底が前記設置面から離れた位置に存在することを特徴とする請求項１〜６のいずれかに記載のオーディオ装置である。
【００２６】
本発明のオーディオ装置は、脚部を下方に向けて所定の設置面上に設置した状態において、本体部の底側が前記設置面から離れた位置に存在した状態となる。そのため、本発明のオーディオ装置は、通常の使用形態において本体部が湯水によって濡れたとしても、スピーカーが湯水で濡れたり、故障する可能性が低い。
【発明の効果】
【００２７】
本発明によれば、仮に浴室に張られた湯水等に落下させてしまったとしても、問題なく作動可能なオーディオ装置を提供することができる。
【発明を実施するための最良の形態】
【００２８】
続いて、本発明の一実施形態にかかるオーディオ装置１について、図面を参照しながら詳細に説明する。なお、以下の説明では、上下の位置関係については、特に断りのない限りオーディオ装置１を通常の使用形態で設置した状態を示す。
【００２９】
オーディオ装置１は、浴室や台所等のように水を使用する環境下において使用することを想定したものであり、ユーザーが任意の位置に設置可能な、いわゆるポータブル型の装置である。図１に示すように、オーディオ装置１は、本体部２と脚部３とを有し、本体部の中心軸Ｖが鉛直方向に向くように設置した状態で使用される。図２に示すように、本体部２の内部には、制御装置１２ａ，１２ｂやスピーカー５、電池ボックス６等の機器類が設けられている。
【００３０】
本体部２は、オーディオ装置１の主要部を構成するものであり、図３や図４に示すように外観が円筒状の外装カバー７と、内蔵ケース８とを備えている。外装カバー７は、一端側が閉塞された筒状の部材であり、天面１５と外周面１６とを有する。外装カバー７は、透光性を有する半透明の樹脂により形成されている。外装カバー７の天面１５は、オーディオ装置１の操作部として機能する部分であり、操作用のボタン１７が設けられている。また、外装カバー７の下端側（開放端側）の内周面には、例えばネジのように後に詳述する脚部３の外周に設けられた連結手段４１に螺合したり係合することが可能なもの（図示せず）が設けられている。
【００３１】
図２や図３等に示すように、内蔵ケース８は、ケース本体部２０と、天部２１と、底部２２とを有する樹脂製の部材である。ケース本体部２０は、図３に示すように外観形状が略円弧状の円弧部２３と、図４に示すように円弧部２３に連続し、天部２１や底部２２の径方向に拡がる壁状の背面部２５とを有する。
【００３２】
図２に示すように、オーディオ装置１の組み立て状態において本体部２の軸線方向に沿って形成される境界面Ｘを想定した場合、背面部２５は、この境界面Ｘに沿って形成されている。すなわち、ケース本体部２０は、境界面Ｘを境として一方側の領域Ｂに背面部２５および円弧部２３によって囲まれた空間Ｐを有し、この内部にオーディオ装置１の電源たる電池をセット可能な電池ボックス６や制御装置１２ｂ等を内蔵している。換言すれば、内蔵ケース２０は、前記した境界面Ｘを境として一方側の領域にのみ電池ボックス６やこれにセットされる電池、制御装置１２ｂ等の機器類を偏在させて収容可能な構成となっている。
【００３３】
ケース本体部２０は、円弧部２３および背面部２５によって囲まれた空間Ｐ内に電池ボックス６や制御装置１２ｂ等を備えている。また、ケース本体部２０は、円弧部２３に表示装置２９を備えている。表示装置２９は、いわゆるセグメントディスプレイ（Segment Display）によって構成されている。本実施形態では、表示装置２９として７セグメントディスプレイ(Seven-Segment Display)が採用されている。表示装置２９は、いわゆる１４セグメントディスプレイや、１６セグメントディスプレイ、ドットマトリクス・ディスプレイ等によって構成されていてもよい。
【００３４】
図４に示すように、背面部２５には、蓋体２６が着脱自在なように設けられている。蓋体２６は、ケース本体部２０内に設けられた電池ボックス６に相当する位置に設けられている。そのため、ケース本体部２０は、上記した境界面Ｘを境として領域Ｂとは逆側に想定される領域Ａ側から蓋体２６を取り外し、電池ボックス６に対して電池を着脱することができる。
【００３５】
図２や図３等に示すように、天部２１は、上記したケース本体部２０の上端側に設けられた、外観が円筒状の部分である。天部２１は、ケース本体部２０に対して上方に連続する位置にあり、上記した境界面Ｘを境として一方側の領域Ｂ側だけでなく、他方側の領域Ａ側にも存在している。天部２１は、天面２１ａ、外周面２１ｂ、並びに、底面２１ｃを有する。天部２１は、天面２１ａや外周面２１ｂ、底面２１ｃによって囲まれた空間Ｑを有する。天部２１の内部空間Ｑは、上記したケース本体部２０の内部空間Ｑと連通している。天部２１の内部空間Ｑには、オーディオ装置１の制御装置１２ａが収容されている。
【００３６】
天部２１の天面２１ａは、平面視が略円形であり、複数の開口２７を備えている。各開口２７には、図示しない保護シートが貼り付けられている。各開口２７は、上記した外装カバー７を内蔵ケース８に装着することによって外装カバー７に設けられた各ボタン１７が到来する位置にあわせて設けられている。外周面２１ｂは、天面２１ａと底面２１ｃとの間に位置し、天部２１の外周を取り囲んでいる部分である。
【００３７】
底面２１ｃは、天部２１のうち、上記した領域Ｂとは反対側にある領域Ａに位置する部分の底を閉塞している。底面２１ｃは、平面視が略半円形であり、天面２１ａと対向する位置関係にある。底面２１ｃは、天部２１を構成する外周面２１ｂに連続すると共に、ケース本体部２０の背面部２５に連続している。底面２１ｃには、矩形の開口２８が設けられている。
【００３８】
図２に示すように、天部２１内に収容されている制御装置１２ａは、オーディオ装置１を作動させるための電子部品に加え、オーディオ装置１の操作を行うための押圧式のスイッチ３０や、外部メモリに接続するための接続端子３１を備えている。本実施形態では、接続端子３１としてＵＳＢ（Universal Serial Bus）端子を備えている。スイッチ３０は、天部２１の天面２１ａに設けられた開口２７を介して操作可能とされている。また、接続端子３１は、天部２１の底面２１ｃに設けられた開口２８を介して、一般的にＵＳＢメモリやＵＳＢフラッシュメモリ、ＵＳＢフラッシュドライブ等と称されるものに代表される外部メモリ３３を接続することができる構成となっている。
【００３９】
制御装置１２ａは、上記した制御装置１２ｂに電気的に接続されている。制御装置１２ａの接続端子３１に接続されたＵＳＢメモリ等の外部メモリ３３に記録されている音声データ、すなわち音声信号をデジタルデータに変換したデータは、制御装置１２ａに読み込まれ、制御装置１２ｂ側に伝達される。そして、制御装置１２ｂに対して電気的に接続されたスピーカー５を介して前記した音声データが再生される。具体的には、制御装置１２ａは、外部メモリ３３にＷＡＶ形式で記録された音声データや、ＭＰ３（MPEG Audio Layer-3）形式やＡＡＣ（Advanced Audio Coding）形式に代表される音声圧縮方式で記録された音声データを読み込み、これを制御装置１２ｂに伝達する機能を有する。また、制御装置１２ｂは、制御装置１２ａ側から伝達されてきた音声データをスピーカー５を介して再生する機能を備えている。
【００４０】
図２や図３等に示すように、底部２２は、上記したケース本体部２０の下方に連続した円筒状の円筒部２２ａと、フランジ部２４ｂとを有し、その下方には図２や図６（ｂ）に示すように係合部２４ｃが設けられている。円筒部２２ａは、外径が上記した天部２１よりも小さく、天部２１と軸心位置が一致している。底部２２は、通常の設置状態において上側となる位置にケース本体部２０の背面部２５よりも領域Ａ側に張り出した部分があり、当該部分が底部天面２２ａによって閉塞されている。一方、底部２２の下端側の部分は、フランジ部２４ｂの中央にある底部開口２４ｄを介して開放されている。底部２２内の空間Ｒは、後に詳述するスピーカー５のスピーカー本体部４０を嵌め込むための空間として機能すると共に、ケース本体部２０の空間Ｐの内外を連通する部分としても機能する。
【００４１】
図２や図４に示すように、外周面２２ｂは、領域Ａ側の部分に周部開口２２ｃを有する。底部２２内の空間Ｒは、図２に示すようにケース本体部２０の内部空間Ｐと連通している。そのため、底部２２内の空間Ｒや、ケース本体部２０内の空間Ｐは、外周面２２ｂに設けられた周部開口２２ｃを介して内蔵ケース８の外部と連通している。従って、内蔵ケース本体８内の空間Ｐ，Ｒは、それぞれ内蔵ケース８外の空間とほぼ同圧に維持される。
【００４２】
図６（ｂ）等に示すように、底部２２のフランジ部２４ｂの下面側には係合部２４ｃが設けられている。係合部２４ｃは、図６（ｂ）に示すように後に詳述する脚部３に設けられた切欠部３ｇに係合する部分である。フランジ部２４ｂには、領域Ａ側の位置であって、係合部２４ｃに相当する位置に、フランジ部２４ｂおよび係合部２４ｃの厚み方向、すなわち内蔵ケース８の軸方向に伸びる通気用縦貫通孔５０を有する。
【００４３】
本体部２を構成する内蔵ケース８の底部２２に対してさらに下方側の位置には、脚部３が取り付けられている。脚部３は、本体部２をオーディオ装置１の設置面から上方に浮かせた状態で支持するための支持体としての機能だけでなく、スピーカー５取り付けるためのスピーカ設置手段としての機能や、底部２２の貫通孔３７に取り付けられたスピーカー５から放射される音の反射板としての機能を備えたものである。
【００４４】
図３に示すように、脚部３は、スピーカー収容部３ａと、脚天部３ｂと、脚底部３ｃと、立設部３ｄとを有する。スピーカー収容部３ａは、図２や図３等に示すように円筒状である。スピーカー収容部３ａの外径は、上記した本体部２のフランジ部２４ｂの外径と略同一とされている。図３や図６（ａ）に示すように、スピーカー収容部３ａの内側には切欠部３ｇが設けられている。切欠部３ｇは、スピーカー収容部３ａの内周壁の一部を切り欠いて形成されたものである。切欠部３ｇは、スピーカー収容部３ａの上方から下方に向かうに従ってスピーカー収容部３ａの径方向外側から内側に向けて傾斜した傾斜面３ｈを有する。傾斜面３ｈの傾斜は、上記した内蔵ケース２０の底部２２を構成する係合部２４ｃの下面側の傾斜と略同一とされている。
【００４５】
図５に示すように、脚部３の外周には、外装カバー７の内周面に設けられたネジ（図示せず）等と螺合したり係合したりすることが可能なネジや溝、突起等であって、外装カバー７と脚部３とを連結するための連結手段４１が形成されている。また、図５に示すように、スピーカー収容部３ａの外周には、全周にわたって突出した突出部４３ａを有する。突出部４３ａの外径は、上記した外装カバー７の内径と略同一とされている。また、突出部４３ａには、スピーカー収容部３ａの全周を取り囲むように設けられた溝４３ｂを有する。溝４３ｂには、Ｏリング４５が装着されている。
【００４６】
スピーカー収容部３ａにはスピーカー５が収容されている。スピーカー５は、上記した制御装置１２ｂに対して電気的に接続されている。スピーカー５は、制御装置１２ｂからの電気信号を受けて、振動板３８から放射される音を下方に向けて放射可能なように取り付けられている。すなわち、スピーカー５は、図２や図３、図５に示すように、振動板３８が下方を向き、スピーカー５を構成する図示しないコイルや磁石を内蔵したスピーカー本体部４０が上方を向く姿勢とされ、スピーカー収容部３ａの内部に上方から挿入され、収容されている。
【００４７】
脚天部３ｂは、平面視が略環状で、その外径が上記したスピーカー収容部３ａの外径よりもやや大きな平板状の部分であり、その略中央部に貫通孔３ｅを有する。貫通孔３ｅの開口径は、上記したスピーカー収容部３ａの開口径やスピーカー５の振動板３８が設けられた部分の外径よりもやや小さい。そのため、スピーカー収容部３ａに収容されているスピーカー５は、脚天部３ｂによって振動板３８の外周部分が支持された状態となっている。
【００４８】
図６等に示すように、スピーカー収容部３ａおよび脚天部３ｂには、通気用縦貫通孔５１および通気用横貫通孔５２が設けられている。通気用縦貫通孔５１は、上下方向に貫通した貫通孔である。通気用縦貫通孔５１は、一方側の端部が脚天部３ｂに開口しており、他方側の端部が切欠部３ｇの傾斜面３ｈに開口している。
【００４９】
図６（ｄ）に示すように、通気用縦貫通孔５１は、拡径部５１ａを有する。拡径部５１ａは、通気用縦貫通孔５１において傾斜面３ｈの近傍から傾斜面３ｈの開口に至る部分に設けられている。拡径部５１ａは、通気用縦貫通孔５１を本体部２の外側から内側に流れる空気等の流れ方向を想定した場合に、当該空気等の流れ方向上流側から下流側に向けて通気用縦貫通孔５１の内径、すなわち流路断面積が徐々に拡がった部分である。拡径部５１ａの流路断面積は、前記した空気等の流れ方向上流側における通気用縦貫通孔５１の流路断面積よりも大きい。すなわち、拡径部５１ａの流路断面積は、通気用縦貫通孔５１の脚天部３ｂ側の開口面積よりも大きくなっている。よって、通気用縦貫通孔５１は、傾斜面３ｈ側の開口面積が脚天部３ｂ側の開口面積よりも大きくなっている。
【００５０】
また、通気用横穴５２は、スピーカー収容部３ａと脚天部３ｂとの境界部分近傍、具体的には図６（ｃ）に示すように、上記した突出部４３ａであって溝４３ｂに対して下方側に外れた部分に開口領域の一部がさしかかるように設けられている。通気用横穴５２は、スピーカー収容部３ａの径方向に伸びており、上記した通気用縦貫通孔５１と連通している。
【００５１】
スピーカー収容部３ａの内周面に設けられた切欠部３ｇの傾斜面３ｈには、通気用縦貫通孔５１の開口を閉塞するように通気膜５７（膜体）が貼り付けられている。通気膜５７は、空気の通過を許容するが、水の通過を許容しない特性を有するものである。そのため、通気用縦貫通孔５１は、仮に脚天部３ｂの下面側の開口部分から湯水が浸入してきても、通気膜５７によって水の移動が阻止され、スピーカー収容部３ａ側の開口部分から上方に向けて抜けることができない。
【００５２】
スピーカー収容部３ａは、切欠部３ｇの傾斜面３ｈが通気用縦貫通孔５１の延伸方向に対して傾斜している。一方、通気用縦貫通孔５１は、筒状であるスピーカー収容部３ａの軸線方向に沿って直線的に延伸している。そのため、通気用縦貫通孔５１は、スピーカー収容部３ａの傾斜面３ｈ側の開口面積が、脚天部３ｂの下面側の開口面積よりも大きくなっている。
【００５３】
さらに、傾斜面３ｈは、拡径部５１ａの末端、すなわち通気用貫通孔５１を本体部２の外側から内側に流れる空気等の流れ方向に流れる空気等の流れ方向下流側の位置にある。そのため、通気用縦貫通孔５１は、傾斜面３ｈ側における内径（流路断面積）が、これよりも前記した空気等の流れ方向上流側の内径（流路断面積）および脚天部３ｂにおける開口径（開口面積）よりも大きくなっている。よって、通気用縦貫通孔５１の傾斜面３ｈ側の開口面積は、単に傾斜面３ｈを設けて開口面積を拡大した場合に比べ、拡径部５１を設けた分だけさらに拡大されている。従って、通気膜５７は、脚天部３ｂの下面側の開口部分に貼り付けたり、通気用縦貫通孔５１に対して略垂直に横切るように取り付けた場合に比べて、通気用縦貫通孔５１を横切る面積（横断面積）が大きい。
【００５４】
一方、通気用横穴５２は、スピーカー収容部３ａの外周面に開口している。具体的には、スピーカー収容部３ａの外周面に形成された通気用横穴５２の開口のうち、図６（ｃ）において上側の部分は、突出部４３ａにさしかかるように形成されており、下側の部分は突出部４３ａよりもスピーカー収容部３ａの径方向内側に位置している。すなわち、通気用横穴５２の開口部分は、その上側の部分と下側の部分とが段違いになっており、スピーカー収容部３ａの外側から見た状態において、下側の部分が上側の部分にくらべて奥側（スピーカー収容部３ａの径方向内側）に位置した状態になっている。
【００５５】
図２〜図５に示すように、脚底部３ｃは、平面視が略円形の板体の略中央部に外観が略山形の円錐部３ｆを有する形状とされている。円錐部３ｆは、その頂部が貫通孔３ｅの中央を通る中心軸上に位置するように略全周にわたって同一の傾斜で傾斜している。立設部３ｄは、脚天部３ｂと脚底部３ｃを繋ぐように両者の間に立設された部分であり、脚部３の周方向に２つ、互いに１８０度ずれた位置に設けられている。脚部３は、立設部３ｄが設けられた位置を除く脚底部３ｃの外周部分において、脚天部３ｂと脚底部３ｃとの間の空間が脚部３の周方向外側に向けて開放された状態となっている。
【００５６】
図２や図６（ｂ）に示すように、脚部３は、スピーカー収容部３ａにスピーカー５を収容した状態において、上記した内蔵ケース８の下端部に設けられたフランジ部２４ｂをスピーカー収容部３ａに対して上方から突き合わせると共に、フランジ部２４ｂの下側に設けられた係合部２４ｃをスピーカー収容部３ａに設けられた切欠部３ｇに係合させ、フランジ部２４ｂとスピーカー収容部３ａとをネジ止めすることにより一体化されている。具体的には、上記したように、係合部２４ｃの下面側、並びに、スピーカー収容部３ａの切欠部３ｇを構成する傾斜面３ｈは共に傾斜しており、両者の傾斜は共に同程度とされている。そのため、内蔵ケース８と脚部３とを一体化する場合は、図６（ｂ）に示すように係合部２４ｃの下面側と傾斜面３ｈとがほぼ平行に対向した状態になり、両者の間に通気膜５７が挟まれた状態になる。また、これにより、通気用縦貫通孔５０，５１が通気膜５７を介して上下方向に連続した状態になる。
【００５７】
上記したようにして内蔵ケース８と脚部３とを一体化することにより、通気用縦貫通孔５０，５１および通気用横穴５２によって通気路５５が形成される。すなわち、本体部２と脚部３とを一体化した状態において、本体部２を縦断する境界面Ｘを境として形成される領域Ａ側に通気路５５が形成されると共に、領域Ｂ側に本体部２の主要部をなすケース本体部２０が形成される。
【００５８】
ここで、上記したように、脚部３側に設けられた通気用縦貫通孔５１は、スピーカー収容部３ａの内周面３ｇ側の開口部分に通気膜５７が取り付けられた構成となっている。そのため、内蔵ケース８と脚部３とを一体化すると、通常の設置状態において上下方向に直線状に伸びる通気路５５の中途に、当該通気路５５の延伸方向に対して交差するように通気膜５７が設けられた状態となる。
【００５９】
図６（ｂ）等に示すように、通気膜５７は、通気用縦貫通孔５０，５１によって構成される一連の通路（以下、主通気路５５ａとも称す）に合流するように設けられた通気用横穴５２（以下、従通気路５５ｂとも称す）よりも本体筒２の内側に近い位置に存在している。すなわち、本体部２の外側を通気路５５における空気や水の流れ方向上流側、本体部２の内側を下流側と規定した場合、通気用横穴５２によって構成される従通気路５５ｂは、通気用縦貫通孔５０，５１によって構成される主通気路５５ａの中途に設けられた通気膜５７に対して上流側において主通気路５５ａと連通している。
【００６０】
また、本体部２の底部２２と脚部３とを一体化すると、本体部２側に取り付けられたスピーカー５の振動板３５が脚天部３ｂに設けられた貫通孔３ｅを介して脚底部３ｃに設けられた円錐部３ｆに対向した状態になる。そのため、スピーカー５から放射された音は、脚底部３ｃに設けられた円錐部３ｆに当たって反射し、脚部３の側方に設けられた開放部分から外側に向けて拡がることとなる。
【００６１】
本実施形態のオーディオ装置１は、上記したようにして本体部２と脚部３とを一体化すると共に、本体部２の上方から外装カバー７を被せて外装カバー７を周方向に回転させ、外装カバー７の内側に形成されたネジや溝等（図示せず）と脚部３に設けられた連結手段４１とを螺合させたり係合させたりすることにより形成される。オーディオ装置１は、外装カバー７を装着した状態において、外装カバー７の内周面が脚部３を構成するスピーカー収容部３ａの外周に設けられた突出部４３ａに面接触すると共に、溝４３ｂに設けられたＯリング４５によってシールされた状態になる。
【００６２】
図６（ｂ）に示すように、オーディオ装置１は、外装カバー７を装着した状態において、外装カバー７の下端部と脚部３の脚天部３ｂとの間に若干の隙間６０が形成される。また、上記したように、脚部３の外周面に設けられた通気用横穴５２は、開口部分が段違いになっており、脚部３を外側から観察した状態において突出部４３ａよりも下側の部分が上側の部分よりも奥側、すなわち脚部３の径方向内側に位置している。そのため、外装カバー７を装着した状態において、通気用横穴５２の開口の一部、すなわち開口のうち下側の部分は外装カバー７から離れている。さらに、通気用横穴５２は、隙間６０が形成された部分よりもやや上方に開口している。そのため、オーディオ装置１は、図６（ｂ）や図６（ｄ）に矢印で示すように、隙間６０から通気用横穴５２に至る空気が通過可能な通気領域６５を有する。また、通気領域６５は、図６（ｂ）や図６（ｄ）に矢印で示すように、隙間６０から内側に向かって流入する空気を一旦上方に立ち上げた後、通気用横穴５２に案内可能な形状とされている。
【００６３】
また、オーディオ装置１は、外装カバー７を内蔵ケース８に対して装着して組み立てた状態において、外装カバー７の天面７ａに設けられた各ボタン７ｃが、内蔵ケース８の天面２１ａに設けられた各開口２７に相当する位置に到来する。そのため、オーディオ装置１は、各ボタン７ｃを押圧することにより、内蔵ケース８の開口２７を介して、内蔵ケース８の内側にある制御装置１２ａに設けられた各スイッチ３０を操作することができる。さらに、オーディオ装置１は、外装カバー７を装着した状態において、内蔵ケース８を構成するケース本体部２０の円弧部２３に設けられた表示装置２９を透光性を有する外装カバー７の外周面７ｂから視認することができる。
【００６４】
続いて、オーディオ装置１の通常の使用形態および通常の使用形態における動作について説明する。オーディオ装置１は、浴室や台所等のような湯水を使用する環境下や野外において好適に使用可能なものであり、ユーザーの希望に応じて任意の場所に持ち運んで設置して使用することができる。オーディオ装置１は、内蔵ケース８の内側にある電池ボックス６に電池をセットすることにより使用される。すなわち、オーディオ装置１は、電池ボックス６にセットされた電池を電源として作動する構成とされている。また、オーディオ装置１は、内蔵ケース８に設けられた接続端子３１に、音楽データを記録したＵＳＢメモリ等の外部メモリ３３を接続した状態で使用される。
【００６５】
オーディオ装置１は、浴室や台所等に設けられた棚や台からなる設置面上に、図１に示すように脚部３が下方を向き、本体部２が立設した状態として設置される。これにより、オーディオ装置１は、本体部２の底面をなす部分、すなわち脚部３の脚天部３ｂが設置面から上方に離れた状態となる。また、脚天部３ｂに設けられた通気路５５の通気用縦貫通孔５１は、下方に向けて開口した状態となる。
【００６６】
オーディオ装置１は、上記した境界面Ｘを境として領域Ｂ側にケース本体部２０が存在している。そのため、ユーザーがケース本体部２０に設けられた表示装置２０を視認可能な状態となるようにオーディオ装置１を設置すると、領域Ａがユーザー側とは反対側に位置した状態になる。すなわち、ユーザーに対して正面側に表示装置２０が位置し、その背面側に領域Ａが位置する状態になる。そのため、オーディオ装置１は、ユーザーが表示装置２０を視認可能なように設置すると、領域Ａに設けられた通気路５５がユーザーから見て背面側に位置することとなる。
【００６７】
オーディオ装置１は、上記したようにして設置した状態において、外装カバー７の天面７ａに設けられたボタン７ｃを押圧することにより、制御装置１２ａを操作することができる。そして、ボタン７ｃを用いて所定の操作を行うことにより、外部メモリー３３に記録されている音声データを本体部２の底側に設けられたスピーカー５を介して再生させることができる。スピーカー５から放射される音声は、脚部３の脚底部３ｃやこれに設けられた円錐部３ｆに当たって反射し、オーディオ装置１の外側に向けて放出される。
【００６８】
上記したようにして設置した状態において、オーディオ装置１は、その設置雰囲気の温度等によらず、本体部２の内外が略同圧となる。すなわち、上記したように、オーディオ装置１は、本体部２の底側を閉塞している脚部３の脚天部３ｂに、通気路５５を構成する通気用縦貫通孔５１が開口しており、これを介して本体部２の内外が設置状態を基準として上下方向に連通している。また、通気路５５を構成する通気用横穴５２は、脚部３を構成する脚天部３ｂの外周面に開口しており、通気用縦貫通孔５０，５１が連通して形成される上下方向に伸びる通路に連通している。さらに、通気用横穴５２は、図６（ｂ）などに示すように、脚天部３ｂと外装カバー７の間に形成された隙間６０や通気領域６５を介してオーディオ装置１の外部と連通している。そのため、オーディオ装置１は、通気路５５を介して本体部２が通気可能な状態となっている。従って、オーディオ装置１は、浴室のように室温の変化の大きい雰囲気下に設置されても、本体部２の内外が略同圧に維持される。よって、オーディオ装置１は、浴室のように室温の変化の大きい雰囲気下で使用されても、スピーカー５が動作不良を起こしたり、スピーカー５が故障するといったような不具合が起こりにくい。
【００６９】
上記したように、通気路５５において、通気用縦貫通孔５０，５１によって構成される主通気路５５ａの中途に、空気の通過を許容し、水分の通過を許容しない通気膜５７が設けられている。また、通気路５５を構成する主通気路５５ａは、通常の設置状態において下方に向けて開口している。そのため、オーディオ装置１は、浴室内のように湯水がかかるような環境下で使用されたとしても、主通気路５５ａを介して本体部２内に湯水が浸入しにくい。
【００７０】
また、オーディオ装置１は、従通気路５５ｂの開口がオーディオ装置１の組み立て状態において外装カバー７の内側に位置している。さらに、オーディオ装置１は、外装カバー７と脚部３の脚天部３ｂとの間に形成された隙間６０から通気領域６５を介して従通気路５５ｂの開口に至る流路を有し、これが当該流路を介して外部から流入する空気等の流れが中途において上方に立ち上がる構成とされている。そのため、仮に隙間６０を介して湯水が流入してきたとしても、これが通気領域６５を通る間に水分が自重によって落下する可能性があり、従通気路５５ｂを構成する通気用横穴５２内に水分が浸入する可能性を最小限に抑制することができる。
【００７１】
また、通気用横穴５２は、オーディオ装置１を通常の姿勢で設置した場合に、隙間６０が設けられている部分よりも高い位置に開口している。そのため、仮に隙間６０に湯水が浸入してきても、これが直接通気用横穴５２に流入する可能性が低い。さらに、通気用横穴５２は、主通気路５５の中途に設けられた通気膜５７に対して、主通気路５５を介して外部から導入される空気等の流れ方向上流側において主通気路５５ａと合流している。そのため、万が一、従通気路５５ｂを構成する通気用横穴５２に湯水が浸入するようなことがあっても、これが本体部２内に浸入することはない。
【００７２】
上記したように、通気路５５は、通常の設置状態において上下方向に伸びる主通気路５５ａと、これに対して交差する方向に伸びる従通気路５５ｂとを有し、両者が合流している。そのため、オーディオ装置１では、仮に主通気路５５ａ内において水膜が形成される等しても、従通気路５５ｂを介して外部から導入された空気によって前記水膜を解消したり、従通気路５５ｂを介して導入された空気を本体部２の内側に導入することができる。よって、オーディオ装置１は、本体部２に対してスムーズに空気が出入り可能である。従って、オーディオ装置１は、温度変化の大きな浴室等に設置されても本体部２の内外を略同圧に維持し、スピーカ５等の動作不良や故障等を防止することができる。
【００７３】
また、上記したように、オーディオ装置１は、主通気路５５ａと従通気路５５ｂとが連通していると共に、主通気路５５ａおよび従通気路５５ｂの双方が外部から空気を取り入れ可能である。そのため、オーディオ装置１では、通気路５５内において主通気路５５ａを流れる空気と従通気路５５ｂを流れる空気とが両者（５５ａ，５５ｂ）の合流点において衝突し、乱流状態になる。また、主通気路５５ａと従通気路５５ｂとの合流点は、通気膜５７よりも空気等の流れ方向上流側であって、通気膜５７に近い位置にある。そのため、オーディオ装置１では、通気膜５７が乱流状態にある空気にさらされることとなる。従って、オーディオ装置１は、仮に通気膜５７の表面を覆うように水膜が形成されていたり、通気路５５の中途に流路を横断するように水膜が張っていたとしても、この水膜は上記したようにして乱流状態になった空気によってさらされることによって解消される可能性が高い。よって、オーディオ装置１では、水膜が張る等して通気路５５を空気が往来できなくなったり、これに伴って本体部２の内外の圧力差が発生して動作上の不具合が起こる可能性が低い。
【００７４】
オーディオ装置１は、上記したようにして浴室や台所、野外等の設置面上に脚部３を下方に向けた姿勢で設置して使用される。しかし、オーディオ装置１は、浴室内に設置されるリモコン装置等のように設置面に対して固定して使用されるいわゆる据え付け型の機器ではなく、ユーザーが所望の位置に設置して使用することができる、いわゆる携帯型（ポータブル）の装置である。そのため、オーディオ装置１は、ユーザーの体や物が当たったり設置面が揺れる等すると、設置面上において転倒したり設置面から落下し、浴槽や流し（シンク）等のような湯水が溜められた場所に落下する可能性がある。この場合、オーディオ装置１が水没したり、オーディオ装置１に設けられた通気路５５内に湯水が浸入して水膜が形成されて本体部２に対して空気が行き来できない状態になると、スピーカー５から旨く音声が放射されなくなったり、スピーカー５が故障する等の不具合が起こる可能性がある。
【００７５】
そこで、かかる事態を想定し、図７（ａ），（ｂ）に示すように、本実施形態のオーディオ装置１は、水面Ｍに対して落下した際であっても、脚天部３ｂに設けられた主通気路５５ａを構成する通気用縦貫通孔５１の開口や、従通気路５５ｂを構成する通気用横穴の開口が水面Ｍよりも上方に位置する姿勢で水面Ｍに浮く構成とされている。さらに詳細に説明すると、上記したように、本実施形態のオーディオ装置１は、境界面Ｘを境として区画される一方側の領域Ｂに電池ボックス６があり、これに電池をセットした状態で使用される。また、オーディオ装置１を構成する制御装置１２ａの主要部や、制御装置１２ｂ、表示装置２９についても領域Ｂ側に存在している。
【００７６】
一方、オーディオ装置１は、外装カバー７の内側の空間であって、前記した領域Ｂとは逆側に位置する領域Ａに相当する部分がほぼ空洞となっている。また、本実施形態のオーディオ装置１では、本体部２の底側にスピーカー５が設けられている。そのため、オーディオ装置１は、その重量バランス（重心）が領域Ｂ側であって本体部２の底側に偏っている。
【００７７】
オーディオ装置１は、上記したような領域Ａ側にある空洞をはじめとして、領域Ｂ側にも空間が存在する。そのため、図７に示すように、オーディオ装置１は、湯水が張られた浴槽等の水面Ｍに落下したとしても水没せず、水面Ｍに浮く。また、オーディオ装置１は、重心が領域Ｂ側に偏在しているため、領域Ａ側が領域Ｂ側に対して上方に向いた姿勢で水面Ｍに浮いた状態になる。そのため、脚天面３ｂに設けられた通気路５５の通気用縦貫通孔５１の開口や、脚部３に設けられた通気用横穴５２の開口は、オーディオ装置１が水面Ｍに向けて落下しても常に水面Ｍよりも上方に位置している。従って、オーディオ装置１は、水面Ｍに向けて浮かんだ状態において、通気用縦貫通孔５１や通気用横穴５２の開口から湯水が浸入する可能性が低い。
【００７８】
また、オーディオ装置１は、重心が本体部２の底側に偏っているため、本体部２の天面側に対して底側がやや低くなるように傾斜した姿勢になる。そのため、図７（ｂ）に示すように、オーディオ装置１が水面Ｍに浮かんだ状態において主通気路５５ａは、本体部２の内側から外側に向かうに従って下方に傾斜した状態になる。
【００７９】
さらに、通気用横穴５２は、鉛直方向よりもやや傾いた状態で、上下方向に連通した状態になる。そのため、オーディオ装置１は、仮に落下時の衝撃等により水面Ｍが波打つことによる影響等により、通気用縦貫通孔５１や通気用横穴５２内に湯水が浸入するようなことがあっても、この湯水は主通気路５５ａや従通気路５５ｂの傾きに沿って本体部２の外側に向けて流れ、排出されることとなる。従って、オーディオ装置１は、水面Ｍに向けて落下した際に、仮に何らかの理由で通気用縦貫通孔５１や通気用横穴５２の開口から湯水が浸入したとしてもこれが直ちに外側に向けて流出し、通気路５５内に湯水が残存したり、通気路５５内に水膜が形成されて本体部２に対して空気が行き来できない状態になるといった不具合が起こりにくい。
【００８０】
また、オーディオ装置１は、水面Ｍに向けて落下した場合であっても、これを拾い上げて通常の使用形態で使用する際に、通気路５５を介して本体部２の内外を空気がスムーズに行き来できるため、本体部２の内外の圧力がほぼ同圧に維持され、スピーカー５が動作不良を起こしたり、スピーカー５が故障する等の不具合も起こりにくい。
【００８１】
上記実施形態のオーディオ装置１は、水面Ｍに浮揚した状態において通気路５５を構成する主通気路５５ａ（通気用縦貫通孔５０，５１）が、本体部の内側から外側に向けて斜め下向きに向くものであったが、本発明はこれに限定されるものではなく、例えば主通気路５５ａが水面Ｍに対して水平になるものであってもよい。
【００８２】
水面Ｍにオーディオ装置１が浮かんだ状態において、主通気路５５ａや従通気路５５ｂの向きが上記したようになる場合についても、上記実施形態で例示した場合と同様に、オーディオ装置１が水面Ｍに向けて落下しても湯水が通気路５５内に浸入しにくく、仮に少量の湯水が通気路５５に浸入したとしても、この湯水が通気路５５内に溜まってしまったり、通気路５５内に気体（空気）の往来を阻害するような水膜が形成されるのを防止することができる。
【００８３】
上記実施形態で示したオーディオ装置１は、電池を収容した電池ボックス６や制御装置１２ｂ、表示装置２９等を領域Ｂ側に偏在させると共に、本体部２を構成する内蔵ケース８の天部２１に収容されている制御装置１２ａよりも重量のあるスピーカー５を本体部２の底側に設け、重心が領域Ｂ側であって、本体部２の底側の位置に存在するように各部材を配置したものであった。しかし、本発明はこれに限定されるものではなく、例えばスピーカー５や電池ボックス６等の位置等を適宜調整することにより、本体部２の天面側と底側とで重量バランスを略均一化した構成としてもよい。
【００８４】
上記実施形態で示したオーディオ装置１は、通常の使用形態において、筒状体からなる本体部２の中心軸が鉛直方向に向き、脚部３が下方に向く姿勢とされ、脚部３を設置面上に配置して使用される。この状態において、通気路５５を構成する主通気路５５ａの開口は、本体部２の底をなす脚部３の脚天部３ｂに開口している。そのため、オーディオ装置１は、例えば浴室に設置された状態において上方からシャワーが浴びせられる等しても通気路５５内に湯水が浸入したり、通気路５５内に水膜が形成される可能性が低い。
【００８５】
また、オーディオ装置１は、本体部２の底をなすと共に、脚部３のスピーカー収容部３ａに収容されたスピーカー５の周縁部に位置し、スピーカー５の支持体としても機能する脚天部３ｂに通気路５５を構成する主通気路５５ａが開口している。すなわち、本実施形態では、スピーカー５を支持するために設けられた環状の脚天部３ｂに主通気路５５ａを構成する通気用縦貫通孔５１を形成しており、脚部３に設けられたスペースを最大限有効利用している。そのため、上記した構成によれば、オーディオ装置１をコンパクトにしつつ、大きな振動板３８を持つスピーカー５を採用する等できる。
【００８６】
上記したオーディオ装置１は、本体部２が筒状であり、この底側に設けられたスピーカー５の振動板３８が本体部２の下方に向けて音を放射可能な構成とされている。そして、オーディオ装置１は、脚部３を下方に向けて所定の設置面上に設置した状態において、本体部２の底をなす脚天部３ａが設置面から離れた位置に存在することとなる。そのため、オーディオ装置１は、通常の使用形態において仮に本体部２が湯水によって濡れたとしても、スピーカー５が湯水で濡れたり、故障する可能性が低い。
【００８７】
上記した実施形態では、スピーカー５として、振動板３８の形状によりコーン型に分類されるものを採用した例を例示したが、本発明はこれに限定されるものではなく、ドーム形の振動板を使ったドーム型スピーカーや平面型、ベンディングウェーブ型等に分類されるものであってもよい。また、スピーカー５は、変換方式による分類によりダイナミック型に分類されるものや、マグネティック型、コンデンサ型（静電型）、圧電型等、従来公知のものから適宜選択することができる。スピーカー５は、振動の放射方式による分類や再生帯域による分類においても適宜のものを選択することができる。
【００８８】
上記実施形態で示したオーディオ装置１は、通気路５５を構成する主通気路５５ａの中途に通気膜５７を設け、これを主通気路５５ａの延伸方向に対して傾斜するように取り付けることにより、通気膜５７の横断面積を大きくとるものであった。しかし、本発明はこれに限定されるものではなく、主通気路５５ａの中途や本体部２側の端部に形成される主通気路５５ａの開口部分に通気膜５７を主通気路５５の延伸方向に対して略直交するように取り付けた構成としてもよい。
【００８９】
また、オーディオ装置１は、主通気路５５ａの中途をなす通気用縦貫通孔５１の傾斜面３ｈ側の開口近傍に拡径部５１ａを設け、これに通気膜５７を取り付けた構成であったが、本発明はこれに限定されるものではない。具体的には、拡径部５１ａを持たない構成としたり、主通気路５５ａの本体部２側の開口の近傍、すなわち通気用縦貫通孔５０の中途や通気用縦貫通孔５０の開口近傍に拡径部５１ａを設け、当該拡径部５１ａに通気膜５７を取り付けた構成としてもよい。
【００９０】
また、上記実施形態では、拡径部５１ａの末端部分、すなわち主通気路５５ａを流れる空気等の流れ方向下流側に位置する傾斜面３ｈ側の開口部分に通気膜５７を取り付けた構成を例示したが、本発明はこれに限定されるものではなく、拡径部５１ａにおいて空気等の流れ方向中途に相当する位置に通気膜５７を取り付けた構成としてもよい。かかる構成とした場合についても、拡径部５１ａを設けない構成としたり、拡径部５１ａよりも空気等の流れ方向上流側の部分に通気膜５７を取り付けた場合に比べて通気膜５７が主通気路５５ａを流れる空気等にさらされる領域の面積を大きくとることができる。
【００９１】
また、上記したように拡径部５１ａを設けたり、傾斜面３ｈを設けて通気膜５７が主通気路５５ａを流れる空気等にさらされる領域を大きく確保することとすれば、主通気路５５ａに対して外部から空気等が入ってくるための入口として機能する開口、すなわち脚天部３ｂに設けられた開口を必要最小限に抑制することができる。そのため、上記したような構成とすれば、通気路５５内に外部から湯水の浸入を最小限に抑制すると共に、通気路５５を遮断するように水膜が形成されたり、これに伴ってスピーカー５の動作不良や故障が起こるといったような不具合の発生を抑制することができる。また、主通気路５５ａの開口径を最小限に抑制することにより、通気路５５内に異物が入ったり、異物によって通気膜５７が破損する等の不具合の発生も防止することができる。
【００９２】
上記実施形態では、主通気路５５ａの中途に拡径部５１ａを設け、これに通気膜５７を取り付けた構成を例示したが、本発明はこれに限定されるものではなく、拡径部５１ａを設けない構成としてもよい。また、上記実施形態では、拡径部５１ａを設けると共に、拡径部５１ａの末端部分、すなわち主通気路５５ａを流れる空気等の流れ方向下流側の端部の位置に傾斜面３ｈを設け、これらの相乗効果によって通気膜５７が主通気路５５ａを流れる空気等にさらされる領域の面積を大きくとる構成を採用していたが、いずれか一方の構成だけを採用したものであってもよい。かかる構成とした場合についても、本体部２に対して十分通気可能な状態とすることができ、スピーカー５の不具合や故障等を抑制することができる。
【００９３】
上記実施形態において、通気膜５７は、主通気路５５ａの中途に設けたものであったが、本発明はこれに限定されるものではなく、従通気路５５ｂの中途や主通気路５５ａと従通気路５５ｂとの境界部分等に通気膜５７に相当するものを設けた構成としてもよい。また、通気膜５７は、通気路５５の複数箇所に設けられていてもよい。
【００９４】
上記したオーディオ装置１において想定した境界面Ｘは、オーディオ装置１のほぼ中心を通り本体部２を縦断するものであったが、本発明はこれに限定されるものではない。すなわち、境界面Ｘは、本体部２を横断するものであったり、本体部２の軸線に対して斜めに横切る（通る）ものであってもよい。かかる構成とした場合についても、上記したオーディオ装置１で説明したのと同様に、境界面Ｘで区画される一方の領域に重心があり、他方の領域に通気路５５が開口すると共に、水面Ｍに浮揚した状態において通気路５５の開口が水面Ｍよりも上に位置し、通気路５５が水平となったり、本体部２の内側から外側に向けて下方に向けて傾斜した構成とすることができる。かかる構成とした場合についても、通気路５５内に湯水が溜まったり、通気路５５内に水膜が形成される等して、スピーカー５が故障したり、正常に動作しなくなるのを防止することができる。
【００９５】
上記したオーディオ装置１は、本体部２の外観が略円筒状のものであったが、本発明はこれに限定されるものではない。具体的には、オーディオ装置１は、例えば断面形状が正方形や矩形、多角形の筒等であってもよい。
【００９６】
上記実施形態のオーディオ装置１は、外部メモリ３３としていわゆるＵＳＢメモリを採用した例を例示したが、本発明はこれに限定されるものではなく、例えばＳＤメモリーカード（Secure Digital memory card）やハードディスク等、適宜のものを採用することができる。また、オーディオ装置１は、外部の通信網や装置と有線あるいは無線で接続可能な構成とし、外部の通信網や装置から送信されてきた音声データをスピーカー５を介して再生できるものであってもよい。また、オーディオ装置１は、音声データだけでなく、表示装置２９を介して動画データや静止画データを表示（再生）可能なものであってもよい。
【００９７】
オーディオ装置１は、制御装置１２ａに接続された外部メモリ３３から読み込まれた音声データを適宜再生可能なものであったが、本発明はこれに限定されるものではない。具体的には、オーディオ装置１は、ラジオチューナーやテレビチューナーを備えており当該チューナーで受信したラジオ放送やテレビ放送を視聴可能なものであったり、従来公知のカセットテープやＣＤ（Compact Disc）、ＭＤ（Mini Disc）、ＤＶＤ（Digital Versatile Disk）から音声データや画像データを読み込み、これをスピーカー５や表示装置２９により再生可能なものであってもよい。
【図面の簡単な説明】
【００９８】
【図１】本発明の一実施形態にかかるオーディオ装置を示す斜視図である。
【図２】図１のオーディオ装置の断面図である。
【図３】図１のオーディオ装置の分解斜視図である。
【図４】図１のオーディオ装置の分解斜視図である。
【図５】図１のオーディオ装置を脚部側から観察した状態における脚部近傍の構造を示す斜視図である。
【図６】（ａ）は脚部のスピーカー収容部の一部を示す斜視図、（ｂ）は脚部と本体部とを一体化した状態における要部を拡大した斜視図、（ｃ）は（ｂ）を矢印Ａ方向から見た状態を示す正面図、（ｄ）は脚部のスピーカー収容部近傍の構造を拡大して示す断面図である。
【図７】（ａ）は図１に示すオーディオ装置が水面に浮かんだ状態を示す側面図であり、（ｂ）は（ａ）の断面図である。
【符号の説明】
【００９９】
１          オーディオ装置
２          本体部
３          脚部
５          スピーカー
６          電池ボックス
３８          振動板
５０，５１    通気用縦貫通孔
５２          通気用横穴
５５          通気路
５５ａ        主通気路
５５ｂ        従通気路
５７          通気膜
Ｘ          境界面
Ａ          領域
Ｂ          領域
Ｖ          中心軸
【図１】
2008211753.tif 000003
【図２】
2008211753.tif 000004
【図３】
2008211753.tif 000005
【図４】
2008211753.tif 000006
【図５】
2008211753.tif 000007
【図６】
2008211753.tif 000008
【図７】
2008211753.tif 000009